(57)【要約】【課題】  省スペースで容易かつ安価に分包シートへの薬剤の服用に係る情報を描き入れることができる薬剤分包装置を提供すること。【解決手段】  薬剤を分包シートに分包するための薬剤分包装置であって、前記分包シートを置くためのシート置台と、前記シート置台に置かれた前記分包シートの上に重ねて、前記分包シートに分包された前記薬剤の服用時または服用者を特定する情報を、前記分包シートに描き入れるための手描き作業を行うために用いるガイド部と、前記シート置台または前記ガイド部を、当該薬剤分包装置に係合する係合部とを有することを特徴とする薬剤分包装置。【選択図】図１９
2014230744.tif 000002
【特許請求の範囲】
【請求項１】
薬剤を分包シートに分包するための薬剤分包装置であって、
前記分包シートを置くためのシート置台と、
前記シート置台に置かれた前記分包シートの上に重ねて、前記分包シートに分包された前記薬剤の服用時または服用者を特定する情報を、前記分包シートに描き入れるための手描き作業を行うために用いるガイド部と、
前記シート置台または前記ガイド部を、当該薬剤分包装置に係合する係合部とを有することを特徴とする薬剤分包装置。
【請求項２】
前記シート置台は、前記服用時または服用者を特定する情報を前記分包シートに描き入れる際、前記分包シートの設置位置をずれにくくするための、前記分包シートに適合する窪みを有することを特徴とする請求項１に記載の薬剤分包装置。
【請求項３】
前記シート置台は、前記分包シートに分包された前記薬剤を前記分包シートの一端に集めやすくするために、水平面に対して傾斜した面を有することを特徴とする請求項１または２に記載の薬剤分包装置。
【請求項４】
前記ガイド部は、当該ガイド部によって描き入れられる前記分包シートに分包された前記薬剤の服用時を特定するため情報が、手書き線であることを特徴とする請求項１乃至３のいずれか１項に記載の薬剤分包装置。
【請求項５】
前記ガイド部は、前記分包シートに分包された前記薬剤の服用時または服用者を特定する情報を描き入れるための当該ガイド部を貫通した溝部を有することを特徴とする請求項１乃至４のいずれか１項に記載の薬剤分包装置。
【請求項６】
前記ガイド部の有する前記溝部は、平行な手描き線を書き込み可能な溝部であることを特徴とする請求項５に記載の薬剤分包装置。
【請求項７】
前記ガイド部の有する前記溝部は、仕切り部材により区分された複数の溝から構成されており、前記分包シートに互い違いの平行線を描くことができることを特徴とする請求項５または６に記載の薬剤分包装置。
【請求項８】
前記ガイド部の有する前記溝部は、前記分包シートに２以上のパターンの手描き線を描き加えるためのパターンを有することを特徴とする、請求項５乃至７のいずれか１項に記載の薬剤分包装置。
【請求項９】
前記ガイド部は、前記分包シートの設置位置を前記ガイド部の上から透かして確認できるよう透明または半透明であることを特徴とする、請求項１乃至８のいずれか１項に記載の薬剤分包装置。
【請求項１０】
前記ガイド部は、当該ガイド部を使用しない際に、当該ガイド部が動かないように前記シート置台に係留するための、係留手段を備えることを特徴とする、請求項１乃至９のいずれか１項に記載の薬剤分包装置。
【請求項１１】
前記分包シートに分包するための薬剤を投入する投入口をさらに備え、
前記ガイド部は、前記投入口の蓋であって、前記係合部によって前記薬剤分包装置に係合される蓋であることを特徴とする請求項１乃至１０のいずれか１項に記載の薬剤分包装置。
【請求項１２】
前記分包シートに分包するための薬剤を投入する投入口をさらに備え、
前記シート置台は、前記投入口の蓋であって、前記係合部によって前記薬剤分包装置に係合される蓋であって、
前記ガイド部は、前記シート置台に係合されていることを特徴とする請求項１乃至１０のいずれか１項に記載の薬剤分包装置。
【請求項１３】
前記蓋は着脱可能に前記薬剤分包装置に係合されていることを特徴とする請求項１１または１２に記載の薬剤分包装置。
【請求項１４】
前記前記シート置台と前記ガイド部とは、前記前記シート置台と前記ガイド部との間に前記分包シートを挟み込んだ際に、前記分包シートを固定できるよう、前記シート置台と前記ガイド部とが互いに対接面の方向に力が加わるように係合されていることを特徴とする請求項１乃至１３のいずれか１項に記載の薬剤分包装置。
【発明の詳細な説明】
【技術分野】
【０００１】
本発明は、薬剤分包装置に関する。
【背景技術】
【０００２】
近年、処方薬の服用のタイミングや種類の誤認防止や除包の手間の軽減のために、服用回毎ごとの薬剤を一つの分包シートに包装する、薬剤分包装置が広く使われている。
【０００３】
さらに薬局等においては、この分包シートに服用に係る情報を追記したり、様々な色の線を引くなど、服用者の視認性をさらに高める工夫がされている。例えば、文字の場合であれば服用のタイミングの情報として「朝・昼・夜」と記載する、服用者の情報として「兄・弟」と記載するなどが挙げられる。また、色の線であれば、服用のタイミングの情報として「朝飲む薬は赤線の分包シート、昼の飲む薬は緑の線の分包シート、夜飲む薬は、青線の分包シート」、服用者の情報として「兄のものは赤い２重線の分包シート、弟のものは青い波線の分包シート」といった具合である。このように、文字や線の数、パターンなどを組み合わせることで、様々な意味を持たせいる。
【先行技術文献】
【特許文献】
【０００４】
【特許文献１】特開２０００−１４２６２号公報
【０００５】
薬局においては、分包シート毎に文字を書き足すより、意味を持たせた線を引くほうが作業上楽であるため、一般的に色分けした線が描かれることが多い。しかし、それでも視認性を高める為のこの色分け線引き作業は、大変な労力を要する作業となってきた。そこで、特許文献１のような、多色印刷機能を備える薬剤分包装置等が、提案されている。
【発明の概要】
【発明が解決しようとする課題】
【０００６】
しかし、薬剤分包装置は、装置のライフサイクルが長く、装置の導入コストも非常に高い。したがって、線引き作業の負担軽減のためだけに、多色印刷機能を備える分包機に装置を買換えるケースはまずないと言える。また、多色印刷機能を備える装置は、新たに装置を導入を検討する場合においても、該機能のない装置と比較して装置が大きい、印刷用消耗品のランニングコストがかかる、といった理由から、見送られるケースもある。
【０００７】
また、近年では薬局内での作業合理化に伴う種々の機器が導入により、分包シートの線引き作業を行う作業スペースがほとんど無くなってしまった薬局も、数多く存在する。このような理由から、多色印刷機能を備える装置を導入できず、狭い作業スペースで線引き作業を行っている薬局が多い。
また、分包シートは薬剤を内包している。そして、分包シートに内包した薬剤によってできるシートの膨らみが、線引き作業を一層面倒なものにしている。
【０００８】
本発明は、省スペースで容易かつ安価に分包シートへ薬剤の服用時または服用者を特定する情報描き入れることができる薬剤分包装置を提供することを目的とする。
【課題を解決するための手段】
【０００９】
薬剤を分包シートに分包するための薬剤分包装置であって、前記分包シートを置くためのシート置台と、前記シート置台に置かれた前記分包シートの上に重ねて、前記分包シートに分包された前記薬剤の服用時または服用者を特定する情報を、前記分包シートに描き入れるための手描き作業を行うために用いるガイド部と、前記シート置台または前記ガイド部を、当該薬剤分包装置に係合する係合部とを有することを特徴とする薬剤分包装置を提供する。
【発明の効果】
【００１０】
このように設けることで、省スペースで容易かつ安価に分包シートへ薬剤の服用時または服用者を特定する情報描き入れることができる薬剤分包装置を提供することができる。
【図面の簡単な説明】
【００１１】
【図１】錠剤供給装置と包装装置を含む分包システムを示す斜視図
【図２】錠剤供給装置１０の斜視図
【図３】錠剤取出ユニット１の斜視図
【図４】錠剤取出ユニット１の内部構造（断面）を示す図
【図５】錠剤供給装置の内部構造を示す図
【図６】錠剤供給ユニットの内部構造を示す図
【図７】包装ユニットの内部構造を示す図
【図８】包装ユニットの内部構造の一部を拡大した図
【図９】錠剤取出ユニット１の内部構造を示す図
【図１０】錠剤供給装置を正面から見た図
【図１１】錠剤供給装置を横（正面から見て右側）から見た図
【図１２】錠剤供給装置の一部を抜粋した図
【図１３】錠剤供給装置の内部を横（正面から見て右側）から見た図
【図１４】包装機構で包装された分包シートの外観図
【図１５】カラーマジックで、色分け線引きされた分包シートの外観図
【図１６】包装装置の上部カバーの斜視図
【図１７】薬が分包されていない分包シートの正面図
【図１８】包装装置の上部カバーの概略側面図
【図１９】包装装置の上部カバーに分包シートを置いた図
【図２０】線引きガイドを備える錠剤投入口カバーの斜視図と溝部の拡大図
【図２１】上部カバーの概略斜視図
【図２２】カラーマジックで、線が２本引かれた分包シート
【図２３】連続分包の分包シートに線を引いた一例（線の位置をずらさないパターン）
【図２４】連続分包の分包シートに線を引いた一例（線の位置ずらすパターン）
【図２５】繰り返し分包の分包シートに線を引いた一例（線の位置をずらさないパターン）
【図２６】繰り返し分包の分包シートに線を引いた一例（線の位置ずらすパターン）
【図２７】線引きガイドを備える錠剤投入口カバーの外観図
【図２８】線引きガイドの外観図
【図２９】線引きガイドを備える錠剤投入口カバーの上面図
【図３０】錠剤投入口カバーと線引き補助具のセットが上部カバーに取付けられている斜視図
【図３１】錠剤投入口カバーと線引き補助具のセットと上部カバー、ブラケットの分解斜視図
【図３２】錠剤投入口カバーと線引き補助具の側面図
【発明を実施するための形態】
【００１２】
以下、図面を用いて、本発明について説明する。
【００１３】
まず、図１について説明する。図１は、錠剤供給装置と包装装置を含む分包システムを示す斜視図である。包装装置は、薬剤分包機、薬剤分包装置、分包機、分包装置ともいう。図１は、錠剤供給装置１０、及び錠剤供給装置１０から供給された錠剤を包装する包装装置５を含む錠剤供給システムを示す図である。１は、錠剤取出ユニットであり、錠剤シートから錠剤を取り出すユニットである。錠剤シートは、一般的にＰＴＰシートと呼ばれており、錠剤シートのことをＰＴＰシートとも言う。
【００１４】
図１の３は、排出ポケット（廃棄ボックス）であり、錠剤取り出し装置から排出されたＰＴＰシートが集合する部分である。装置前面で開口しており、排出されたＰＴＰシートを容易に取り出すことができる。
【００１５】
図１の４は錠剤投入口カバーであり、錠剤投入部のカバーである。錠剤投入口に埃や異物が入らないようにする為に、包装装置の上面に蝶着されており、開閉可能となっている。このカバーの下にはこのカバーの下には錠剤投入口１６０３（手撒き用錠剤マス）があり、使用者が手で錠剤を投入して、１回飲用分ずつに分包することが可能である。
【００１６】
錠剤投入口１６０３は、手撒き錠剤供給装置４０００（図１３に断面図を記載）の錠剤投入口１６０３（手撒き用錠剤マス）である。手撒き錠剤供給装置４０００は、錠剤投入口１６０３にて使用者から手撒きで一包分ずつの錠剤の投入を受付ける。そして、包装装置５で分包させるために、受付けた薬剤を一包分ずつ供給する。
【００１７】
錠剤供給装置１０には複数の錠剤取出ユニット１が収納されている。錠剤取出ユニット１は、幅方向（左右方向）に６つが並べられ、この６つの錠剤取出ユニット１からなる組が上下に３段に配置されている。すなわち、錠剤取出ユニット１は、左右６列、上下３段に配列されている。  錠剤供給装置１０は複数の錠剤取出ユニット１を備えているが、錠剤取出ユニット１の数は１でもよい。５は、包装装置であり、錠剤供給装置１０の錠剤取出ユニット１から供給された錠剤を包装する装置である。
【００１８】
１０３は、散薬投入部であり、分包される散薬が投入される部である。また、散薬投入部１０３に投入された散薬を投薬１回分に分けられて、分けられた１回分の散薬を後述するメインホッパー５０５に入れられ、１回分ずつに分包される。
【００１９】
１０は、錠剤供給装置であり、１または複数の錠剤取出ユニット１と、錠剤取出ユニット１で取り出された錠剤を供給する錠剤供給ユニット４００とを備えている。  錠剤供給装置１０は、錠剤取出ユニット１により錠剤シート（ＰＴＰシート）から錠剤を取り出して、錠剤供給ユニット４００の供給経路を経て、包装装置５に供給する。
【００２０】
錠剤供給装置１０は、図１に示す通り、複数の錠剤取出ユニット１を備えている。錠剤供給装置１０は、１又は複数の錠剤を、それぞれ錠剤収容部に封入された錠剤シート（ＰＴＰシート）から錠剤を取り出して供給する。
【００２１】
次に、図２を用いて、錠剤供給装置１０について説明する。図２は、錠剤供給装置１０の斜視図である。２０３は、錠剤シートを錠剤取出ユニット１に投入する投入口である。
次に、図３を用いて、錠剤取出ユニット１の内部構造について説明する。
【００２２】
図３は、錠剤取出ユニット１の斜視図である。なお、図３は、錠剤取出ユニット１が、２つ並んでいる図を示している。錠剤取出ユニット１は、錠剤シート５１を搬送する搬送機構と、搬送機構により搬送された錠剤シート５１が載置される載置台と、載置台上の錠剤シート５１の錠剤収容部を押圧して錠剤を取り出す押出し機構とを有している。
【００２３】
錠剤シート５１は、錠剤を収容する錠剤収容部を備えるシート本体の下面に、アルミニウム等からなる金属箔などを用いた封止シートを設けることによって錠剤が錠剤収容部に密封されたものである。錠剤シート５１は、シート部上に凸状の錠剤収容部が幅方向に間隔をおいて２列に並んだ形態である。各列をなす複数の錠剤収容部は錠剤シート５１の長さ方向に沿って並んでいる。
ここで、さらに、図４を用いて、錠剤取出ユニット１の内部構造について説明する。
【００２４】
図４は、錠剤取出ユニット１の内部構造（断面）を示す図である。図４は、錠剤シートの投入口２０３にＰＴＰシートをセットし、ＰＴＰシートを除包位置（錠剤の取出位置）まで搬送を行った際の図である。
【００２５】
錠剤取出ユニット１は、錠剤シートを搬送する錠剤シート搬送機構（搬送機構）と、錠剤シートが載置される載置台１８と、錠剤シートから錠剤を取り出す錠剤取出機構（押出し機構）とを備えている。
【００２６】
３９は、下部ローラである。錠剤シート搬送機構は、錠剤シート５１を進行方向に向け搬送するものであって、進行方向に互いに間隔をおいて設けられた下部ローラ３９と、進行方向に互いに間隔をおいて設けられた上部ローラとを備えている。搬送機構は、錠剤収容部の押圧を継続する前に載置台１８上の押圧される位置から所定の距離だけ錠剤シート５１をさらに搬送し、押出し機構が、錠剤収容部の押圧を継続（リトライ）する。
【００２７】
下部ローラ３９は、駆動源により回転駆動可能であり、ＰＴＰシート部の下面に当接して錠剤シート５１に進行方法への力を加えることができる。上部ローラは、駆動源により回転駆動可能であり、ＰＴＰシート部の上面に当接して錠剤シート５１に進行方向への力を加えることができる。上部ローラの幅方向の位置は、２列の錠剤収容部の間に相当する位置であるため、上部ローラは錠剤収容部５２に当接することはない。
【００２８】
下部ローラ３９と上部ローラは、錠剤シート部を上下から挟み込んで錠剤シートを進行方向に搬送できる。さらに、下部ローラ３９と上部ローラは錠剤シート部を上下から挟み込んで錠剤シート５１を進行方向とは逆の方向にも搬送できる。
【００２９】
２４は、導入シュートである。導入シュート２４は、載置台の下面側に設けられており、錠剤シート５１から取り出された錠剤を、後述する錠剤導入路４０１に導くものである。すなわち、導入シュート２４は、載置台の下面側に排出口を有しており、錠剤シート５１から取り出された錠剤はその排出口を通り、後述する錠剤導入路４０１に落ちていく。なお、この導入シュート２４は、錠剤取出しホッパーとも言う。
錠剤取出ユニット１は、載置台１８上の錠剤シート５１の錠剤収容部を押圧する速度を変更させる変更機構をさらに有している。
【００３０】
押出し機構は、より高速に変更された速度で錠剤収容部の押圧を継続（リトライ）する。押出し機構は、錠剤収容部の中央付近を押圧する内側押圧体８３と、中央付近よりも外側の部分を押圧する外側押圧体８４とを含んでいる。内側押圧体８３と外側押圧体８４とが独立して動作することでＰＴＰシートの錠剤収容部を押圧して、ＰＴＰシートから錠剤を取り出す。押出し機構は、内側押圧体８３よりも先に外側押圧体８４により錠剤収容部を押圧させる。内側押圧体８３の先端は、ほとんどの錠剤シート５１の錠剤収容部よりも面積が狭いので、内側押圧体８３は錠剤を取り出す場合（下降した場合）に、錠剤シートに開いた穴から先端が突き出る。外側押圧体８４の先端は、ほとんどの錠剤シート５１の錠剤収容部よりも面積が広いので、錠剤を取り出す場合（下降した場合）に、錠剤シート５１に開いた穴から先端が突き出ない。つまり、錠剤シート５１の錠剤収容部を押し潰すためのものである。錠剤取出機構（押出し機構）は、外側押圧体８４を昇降させる第１昇降機構と、内側押圧体８３を昇降させる第２昇降機構とを備える。
【００３１】
第１昇降機構は、外側押圧体８４が取り付けられた第１昇降体９３と、回転駆動して第１昇降体９３を昇降させるカム９４と、第１昇降体９３を上昇方向に付勢する付勢部材（ばね）とを備えている。第１昇降体９３は、前後方向にわたって延在する柱状体であり、前端部に外側押圧体８４が取り付けられている。
【００３２】
カム９４は、外側押圧体８４の昇降動作を考慮して設計された形状の板状体であり、駆動機構によって回転駆動する軸部に固定されている。カム９４は、第１昇降体９３の上面側に設けられ、軸部の回転に伴って回転駆動し、第１昇降体９３を押圧することによって高さ位置を調整し、これによって外側押圧体８４の高さ位置を調整する（外側押圧体８４の昇降動作を行う）ことができる。
【００３３】
第１昇降機構は、カムの回転動作のタイミング、カムの形状、軸部に対するカムの固定位置などの設定によって、外側押圧体８４の昇降動作のタイミングや変位量を任意に設定できる。
【００３４】
第２昇降機構は、内側押圧体８３が取り付けられた第２昇降体９８と、回転駆動して第２昇降体９８を昇降させるカム９９と、第２昇降体９８を上昇方向に付勢する付勢部材（ばね）とを備えている。
【００３５】
第２昇降体９８は、前後方向にわたって延在する柱状体であり、前端部に内側押圧体８３が取り付けられている。カム９９は、第２昇降体９８の上面側に設けられ、軸部の回転に伴って回転駆動し、第２昇降体９８を押圧して高さ位置を調整し、これによって内側押圧体８３の高さ位置を調整する（内側押圧体８３の昇降動作を行う）ことができる。
【００３６】
第２昇降機構は、カム９９の回転動作のタイミング、カムの形状、軸部に対するカムの固定位置などの設定によって、内側押圧体８３の昇降動作のタイミングや変位量を任意に設定できる。このため、カム９４とカム９９は、それぞれ第１昇降体と第２昇降体に対して互いに独立に動作可能であり、内側押圧体８３と外側押圧体８４は、互いに独立に昇降動作させることができる。
【００３７】
錠剤取出機構における２つのカムの回転動作のタイミング等は、錠剤位置検出機構の検出部からの信号に基づいて定めることができる。具体的には、検出された錠剤収容部の位置に合わせて内側押圧体８３と外側押圧体８４を動作させることができる。
【００３８】
錠剤取出ユニット１は、ＰＴＰシートの錠剤収容部の押圧をする前に、押圧される錠剤収容部の長さを検出する検出機構１７をさらに有している。  錠剤供給装置は、検出した錠剤収容部の長さに基づいて所定の距離を算出する算出手段をさらに有している。検出機構１７は、押圧される錠剤収容部の長さを検出するとともに押圧される錠剤収容部の位置をさらに検知する。
錠剤供給装置１０は、検知されたＰＴＰシートの錠剤収容部の位置に基づいて、押圧される位置までの搬送距離を算出する算出手段をさらに備える。
【００３９】
搬送機構（下部ローラ３９、上部ローラ）は、搬送距離により載置台１８上の錠剤収容部が押圧される位置まで錠剤シートを搬送する。搬送機構は、所定の距離だけ前方または後方に錠剤シート５１を搬送する。
次に、図５を用いて、錠剤供給装置１０の内部構造について説明する。
図５は、錠剤供給装置１０の内部構造を示す図である。なお、図５は、錠剤供給装置１０を背面側（裏側）から見た図である。
【００４０】
２０４は、光学センサ（ビームセンサ）であり、落下物を検知するものである。除包された錠剤が導入シュート２４内を落下する際、除包された錠剤がビームセンサ上を通過し、ビームセンサを遮光する。このビームセンサが遮光された状態をＯＮ状態とし、遮光されていない状態をＯＦＦ状態とする。このＯＮ／ＯＦＦ状態を用いて落下物の有無の判定を行う。錠剤落下検出機構は、光学センサ２０４と落下錠剤カウンタとを備える。
【００４１】
錠剤供給装置１０は、押圧により錠剤収容部から錠剤が取り出されたか否かを判定するべく、取り出された錠剤を検知する検知機構（光学センサ２０４）を有している。
【００４２】
押出し機構は、取り出された錠剤が検知されない場合には錠剤収容部の押圧を継続（リトライ）し、取り出された錠剤が検知された場合には錠剤収容部の押圧を継続（リトライ）しない。
【００４３】
４０１は、錠剤導入路である。錠剤導入路４０１は、導入シュート２４と導通しており、錠剤シートから取り出され落下した錠剤を導入シュート２４から第１集積ホッパーに中継する。
次に、図６を用いて、錠剤供給ユニット４００の内部構造について説明する。
【００４４】
図６は、錠剤供給ユニット４００の内部構造を示す図である。４０２は、第１集積ホッパーである。第１集積ホッパー４０２は、錠剤取出ユニット１により、ＰＴＰシートから取り出された錠剤が導入シュート２４を落下して通り、そして、導入シュート２４から錠剤導入路４０１を通り、該錠剤が集積される部である。すなわち、錠剤導入路４０１は、第１集積ホッパー４０２と直接、導通している。
【００４５】
５０１は、第２集積ホッパーである。第２集積ホッパー５０１は、第１集積ホッパー４０２で集積された錠剤をさらに集積する。すなわち、第２集積ホッパー５０１は、第１集積ホッパー４０２と導通している。そのため、第１集積ホッパー４０２に落ちてきた錠剤５０は、第２集積ホッパー５０１に落ちて集積される。
５０２は、第１の送り出し機構である。第１の送り出し機構５０２は、第２集積ホッパーに集積された錠剤５０を第３の集積ホッパーに移動させる。
５０３は、第３集積ホッパーである。第３集積ホッパー５０３は、第１の送り出し機構５０２により送り出（移動）された錠剤を集積する。
５０４は、第２の送り出し機構である。第２の送り出し機構５０４は、第３集積ホッパーに集積された錠剤をメインホッパー５０５に移動させる。
【００４６】
５０５は、メインホッパーである。メインホッパー５０５は、第２の送り出し機構５０４により送り出（移動）された錠剤（１回分）を集積し、分包シート（分包シート）の中に集積した錠剤を投入する。
次に、図７、図８を用いて、包装ユニット７０１の内部構造について説明する。
図７は、包装ユニット７０１の内部構造を示す図である。
【００４７】
図８は、図７に示す包装ユニット７０１の内部構造の一部（７０３、７０４、７０５）を拡大した図である。包装ユニット７０１は、包装装置５内のユニットである。
７０２は、分包シートが連なるロール紙（ロール状になっている分包シート）を包装機構に送り出すロール紙送出機構である。
【００４８】
７０３は、メインホッパー５０５内に集積された錠剤５０（１包分の錠剤８０３）が分包シートの中に投入され、当該分包シートを加熱し溶着することにより、分包シートの中に投入された薬剤を、分包シートの中に封入する（包装機構）。なお、本実施例では被分包体として錠剤のみ描かれている場合もあるが、分包可能な被分包体であれば、散薬など、薬剤の形状は問わないし、栄養補助食品など被分包体が薬剤でなくても構わない。
【００４９】
７０４は、メインホッパー５０５内に集積された錠剤が分包シートの中に投入され、当該分包シートを加熱し溶着することにより、分包シートの中に投入された錠剤を、分包シートの中に封入する（包装機構）。すなわち、包装機構７０３と、包装機構７０４とで、分包シートを加熱し溶着することにより、分包シートの中に投入された錠剤を、分包シートの中に封入する。
７０５は、連なるロール紙を１包毎の分包シート（１つの包み８０２）に分断するための分断用ミシン目８０１を分包シートに形成する。（分断機構）
７０６はプリンタであり、分包シートに、日付、患者データ、エラー情報を印字する（印字機構）。
【００５０】
なお、本実施例では単色刷りのプリンタを想定しているが、請求項の実施に関しては、多色刷りのプリンタを実装した分包機であってもよく、プリンタを実装していない分包機であってもよい。図７、図８に示すように、包装ユニットにより、投薬１回分の錠剤が分包される。
次に、図９を用いて、錠剤取出ユニット１の内部構造について説明する。
図９は、錠剤取出ユニット１の内部構造を示す図である。
【００５１】
９０１は、錠剤シートの投入口２０３のカバーである。カバー９０１を開けることにより、錠剤シート５１を投入口２０３に入れることが出来るようになる。また、図９に示す２４は、導入シュートであり、既に、図４などを用いて説明しているため、ここでは説明を省略する。
次に、図１０を用いて、錠剤供給装置１０について説明する。
【００５２】
図１０は、錠剤供給装置１０を正面から見た図である。図１０に示す１は、図１にも示している通り、錠剤取出ユニット１である。錠剤取出ユニット１で、ＰＴＰシートから取り出された錠剤は、導入シュート２４を通り、そして、錠剤導入路４０１を通り、第１集積ホッパー４０２に落ちていく。
次に、図１１を用いて、錠剤供給装置１０の錠剤供給ユニット４００が備える各構成について説明する。
図１１は、錠剤供給装置１０を横（正面から見て右側）から見た図である。
【００５３】
図１０でも説明したが、錠剤取出ユニット１で、ＰＴＰシートから取り出された錠剤は、導入シュート２４、錠剤導入路を通り、第１集積ホッパー４０２内に落ちてくる。そして、第１集積ホッパー４０２を通った錠剤は、第２集積ホッパー５０１を通り、第１の送り出し機構５０２に送られる。第１の送り出し機構は、第１の中継ユニットである。そして、第１の送り出し機構５０２は、錠剤を第３集積ホッパー５０３に送り、第３集積ホッパー５０３は、第２の送り出し機構５０４に錠剤を送る。第２の送り出し機構５０４は、第２の中継ユニットである。
第２の送り出し機構５０４は、第２の送り出し機構５０４に送られた錠剤を、メインホッパー５０５に送る。
【００５４】
次に、図１２を用いて、錠剤取出ユニット１から取り出された錠剤がどのように、導入シュート２４、錠剤導入路４０１、第１集積ホッパー４０２を通るかについて説明する。図１２は、図１０に示した錠剤供給装置１０の一部を抜粋した図である。すなわち、図１０に示す錠剤取出ユニット１を２段分削除した図が、図１２である。  図１２に示す点線の矢印１２０１は、錠剤取出ユニット１から取り出された錠剤の移動経路を示している。  また、図１２に示す通り、第１集積ホッパー４０２の左側の導管、及び真ん中の導管の幅は、直径が７８ｍｍである。
次に、図１３を用いて、錠剤供給装置１０の錠剤供給ユニット４００が備える各構成について説明する。
図１３は、錠剤供給装置１０の内部を横（正面から見て右側）から見た図である。
【００５５】
図１３に示す点線の矢印１２０１は、錠剤取出ユニット１から取り出された錠剤の移動経路を示している。最上段の錠剤取出ユニット１の導入シュート２４の出口から、第１の傾斜部１４０１までの距離は、約４６０ｍｍであり、中段の錠剤取出ユニット１の導入シュート２４の出口から、第１の傾斜部１４０１までの距離は、約２６５ｍｍである。また、第１集積ホッパー４０２の長さは、約３６２ｍｍである。すなわち、最下段の錠剤取出ユニット１の導入シュート２４の出口から、第２集積ホッパー５０１までの距離は、約３６２ｍｍである。
【００５６】
各段の錠剤取出ユニット１で、ＰＴＰシートから錠剤が取り出されると、錠剤は、導入シュート２４を通り、導入シュート２４の出口から、錠剤導入路４０１を通り、そして、第１集積ホッパー４０２に入り、第２集積ホッパー５０１に集積される。
【００５７】
この時、錠剤供給装置１０全体の分包時間を短縮させることを考慮すると、導入シュート２４（錠剤取り出しホッパー）出口から、まっすぐ下に垂直落下させ、第２集積ホッパー下部に収めることが考えられる。
【００５８】
しかしながら、最上段の錠剤取出ユニット１で取り出された錠剤を、導入シュート２４（錠剤取り出しホッパー）出口から、まっすぐ下に垂直落下させ、第２集積ホッパー下部に収めると、約８７６ｍｍもあるため、錠剤が割れたり、欠けたりして破損してしまう可能性が高くなる。また、ＰＴＰシートから取り出される薬が、カプセルの場合は凹んだりして変形をしてしまう可能性が高くなる。
【００５９】
このように、本実施形態の錠剤供給装置１０は、錠剤取出ユニット１が複数積み上げられて使用できるようになっているため、特に最上段の錠剤取出ユニット１から錠剤が落下する場合には、導入シュート２４（錠剤取り出しホッパー）出口から第２集積ホッパーまでの距離が非常に長くなり、ＰＴＰシートから取り出される錠剤、又はカプセルが、破損してしまう可能性が高くなってしまう。
【００６０】
そこで、第１集積ホッパー４０２の上部に、分包時間を余りロスしない程度に錠剤をバウンドさせる第１の傾斜部１４０１を設ける。すなわち、第１集積ホッパー４０２の上部の一部をオフセットさせる。本実施の形態では、重力方向から約３２°の傾斜を備える第１の傾斜部１４０１としている。
【００６１】
また、第２集積ホッパー５０１においても、第１集積ホッパー４０２から第２集積ホッパー５０１の下部にダイレクトに錠剤が到達しないように、第２集積ホッパー５０１も分包時間を余りロスしない程度に錠剤をバウンドさせる第２の傾斜部１４０２を設けている。本実施の形態においては、第２の傾斜部１４０２は、水平方向より約４０°の傾斜としている。
【００６２】
ここで、第１の傾斜部１４０１、第２の傾斜部１４０２の角度は、例として、それぞれ、約３２°、約４０°としているが、落下してくる錠剤がバウントして（落下スピードを落として）、その後の経路に移動可能な角度（次の供給部に落下により供給可能な角度の傾斜）であれば、どのような角度であってもよい。
【００６３】
このように、第１集積ホッパー４０２に、第１の傾斜部１４０１を備え、第２集積ホッパー５０１に第２の傾斜部１４０２を備えることにより、錠剤取出ユニット１の導入シュート２４（錠剤取り出しホッパー）出口から、第２集積ホッパー５０１の下部までダイレクトに錠剤を落下させず、錠剤の落下向きを変えつつ錠剤が破損、変形しない程度のクッションを与えることができる。
【００６４】
その結果、落下してくる錠剤が第２集積ホッパー５０１の下部に到達した時の衝撃を和らげることができ、錠剤が破損、変形する可能性を低減させることが出来るようになる。
【００６５】
第１の傾斜部は、錠剤取出し装置から落下してきた錠剤が接触する位置に設けられており、第２の傾斜部は、第１の傾斜部に接触した錠剤がさらに落下して接触する位置に設けられている。
【００６６】
また、第１の傾斜部１４０１、第２の傾斜部１４０２に、ゴムなどの、衝撃を吸収する材料（衝撃吸収材）を更に設けることにより、錠剤の衝撃をさらに抑えることが可能となる。
【００６７】
図１４は包装機構で包装された分包シートの外観図である。図１４の１４１１は分包シートで、分包シートの中に投入された薬剤を封入している。この分包シートは、朝飲む薬として、一包に「朝」と印字されている。
【００６８】
分包シートは、包装装置の包装機構から、図１４のように、連続して連なった状態で排出される。例えば、処方された薬が、朝食後、昼食後、夕食後の１日３回分各１包で、２週間分（１４日分）であるとする。この時、連続した分包シートは、計４２包分連なって排出され、その中には各食後に飲用する薬が包装されている。そして、印字設定が「朝」「昼」「夕」であれば、１包目から１４包目までに「朝」、１５包目から２８包目までに「昼」、２９包目から４２包目までに「夕」と印字されている。
【００６９】
図１４では、単色の文字や線を印刷できる機構備えた薬剤分包装置によって印字された分包シートの一例を紹介したが、本発明は分包シートへの印字の有無に関係なく実施可能である。そして、後述する図１７に示すような、何も印字されていない分包シートにおいて、より効果がより発揮される。
次に、分包シートへの線引き、色分けについて説明する。
図１５はカラーマジックで、色分け線引きされた分包シートの外観図である。
１５０１は色分けの為に引かれた線で、ここでは赤色の線とする。
１５０２は分包シートの縁である。
【００７０】
色分けの為に引かれた線は、分包シートの縁に対して概平行に引かれている。包装装置の使用者（例えば薬剤師）は、服用の過誤を防ぐべく、図１５のように分包シートにカラーマジック等で線を引き、視認性を高めている。例えば、服用者の服用のタイミングの認識を高めるために、朝食後の服用は赤、昼食後は黄色、夕食後は青、を分包シートに線引きしたりする。あるいは、兄の分包シートは青、弟の分包シートは赤など、服用の間違いが無いよう視認性を高める、といった具合に用いたりする。
【００７１】
この色分け線引きに際し、例えば、一般事務用３０ｃｍ定規等を当てて線を引く場合、１包あたりの長さが８０ｍｍの分包シート、４２包分に線を引こうとすると、分包シート総長さは３３６ｍｍあるので、少なくとも１２回は、定規を当て直し、線を引かなければならない。
【００７２】
これを踏まえ、本実施例では、図１６に示すように、包装装置上部に付帯する錠剤投入口カバー４を、線引きガイドとした。薬包シートの総長さよりも長く（全長が６３３ｍｍ）、線引きガイドとして、十分な長さになるためである。
図１６は包装装置の上部カバーの斜視図である。
１６０１は包装装置の上部部分で包装装置の上部カバーである。
【００７３】
１６０２は、窪みである。窪みは包装装置の右端から左端までついている。この窪みが分包シートを置くためのシート置台すなわち、手描き作業スペースとなる。
１６０３は錠剤投入口（手撒き用錠剤マス）である。
図１７は薬が分包されていない分包シートの正面図である。
分包シートの高さ寸法は７０ｍｍである。
図１８は包装装置の上部カバー概略側面図である。
【００７４】
上部カバーの窪み１６０２は、奥行方向に７０ｍｍある。これは、分包シートの設置場所をずれにくくすべく設けられたものであり、分包シートの高さ寸法に適合するよう設けられている。１８０１は分包シート膨らみ逃げ部である。これは、分包シートに分包された薬剤をシートの一端に集めるべく、水平面に対して傾斜が設けられたている。この分包シート膨らみ逃げ部１８０１は、線引き作業の邪魔にならないように、分包シートに分包された薬剤の膨らみを逃がす（収容する）ために設けられたものである。したがって、この分包シート膨らみ逃げ部（傾斜部）は平面でも良いし、曲面でも良い。
図１９は包装装置の上部カバーに分包シートを置いた斜視図である。図１９のように、上部カバーの窪みに沿わせて、分包シート１４１１をセットする。
図２０は線引きガイドを備える錠剤投入口カバーの斜視図と溝部の拡大図である。
【００７５】
２００１は溝である。溝は錠剤投入口カバーの表面から裏面に貫通している。錠剤投入口カバーには溝があり、この溝の中にカラーマジック等を沿わせて、分包シートに線を引くためのガイドの役割を果たしている。また、正面手前側の縁も、同様の役割を果たす。
【００７６】
なお、本実施例では、錠剤投入口カバーへの溝は３本としているが、錠剤投入口カバーの縁を線引きガイドとする場合、溝はなくとも良い。また、溝や縁のパターンは、作業者が引きたい線のパターンであればよい。例えば、直線ではなく、波線、ジグザグ線の引ける形状にしてもよい。あるいは、溝の場合、仕切り部材により区分された、複数の前記溝部であってもよく、点線、鎖線、破線等が引ける形状のガイドにしてもよい。また、複数の溝を備える場合、太さの違う線を引くために、幅を変えてもよい。
【００７７】
なお、現状でよく用いられる線の例については、図２２・２３・２４・２５・２６にて後述する。また、１以上の区分する部材を設けた形状の溝の一例として、図２９を挙げる。また、線引きガイドの錠剤投入口カバーの材料は、透明又は半透明の材料で製作するのが望ましい。なぜならば、ガイド部を分包シートの上に重ねた際に、分包シートの置かれた状態を、上部から透かして確認できるからである。
図２１は、包装装置上部カバーの概略斜視図であり、図１９において、手書き線ガイド機能を備えた、錠剤投入口カバー４を下した状態を示している。
【００７８】
２１０１はカラーペンである。上部カバーに分包シートを置き、錠剤投入口カバーを下ろした状態で、カバーの溝を使うことで、カラーペンで線を引くことができる。
【００７９】
この際、図１８で記したとおり、上部カバーの窪みに設けられた分包シート膨らみ逃げ部が薬剤による分包シートの膨らみ部を逃がすため、机上で定規を当てて行う線引き作業のように、分包シートの中の薬の膨らみ部が作業の邪魔にならずに済む。
【００８０】
また、包装装置上部の窪み１６０２は、錠剤投入口カバー４と平行に、且つ分包シートの高さ寸法に合わせて設けられている。したがって、分包シートをセットし、蝶着されたカバーを下すだけで、分包シートの縁に対して容易に、平行する線を引くことができる。すなわち、机上で定規を用いて直線を引くよりも容易に、分包シートに対して平行する線を引くことが出来る。
【００８１】
このように、線引き作業をより容易ならしめるために、包装装置の上部カバーの窪みと分包シート膨らみ逃げ部があることが望ましい。しかし、図１９のように、錠剤投入口１６０３の手前側に分包シートを設置し、線を引ける錠剤投入口カバーで挟み込めるだけの十分な作業スペース（分包シートの置き台）があれば、少なくとも手書き線引きガイドを用いた線引き作業を行うことができる。
【００８２】
補足だが、錠剤投入口カバーや、包装装置の上部カバーは大抵の分包機に備えられている。そして、本発明を実装した錠剤投入口カバーや、包装装置の上部カバーに交換する費用は、カラー印刷機構を備えた分包機の買い替え費用と比べ、非常に低コストで済む。
図２２はカラーマジックで、線が２本引かれた状態の分包シートである。
【００８３】
このような２以上の線引きを目的とした線引きガイドは、２以上の線引き部（溝や縁）を備えることが望ましい。なぜならば、複数の線を引くのに、一度線引きガイド部（錠剤カバー）セッティングすれば済むからである。
【００８４】
図２３及び図２４は、連続分包の分包シートに線を引いた一例で、朝３包、昼３包、夜３包、の計９包の例である。連続分包とは、朝朝朝、昼昼昼、夕夕夕と、朝食後飲む薬を続けて分包し、次に昼食後飲む薬を続けて分包する、そして夕食後に飲む薬を続けて分包することである。なお、図２３は、赤線、黄線、青線を錠剤投入口カバーの一本の溝を利用して、一直線上に引いた例である。
図２４は、薬剤投入口カバーの三本の溝を利用して、赤線、黄線、青線をオフセットして線を引いた例である。
図２５及び図２６は繰り返し分包の分包シートに線を引いた一例である。
【００８５】
朝３包、昼３包、夜３包、の計９包の例である。繰り返し分包とは、朝昼夕、朝昼夕、朝昼夕、と、朝食後飲む薬、昼食後飲む薬、夕食後飲む薬、と繰り返して分包することである。なお、図２５は、赤線、黄線、青線を一包ずつ断続的に錠剤投入口カバーの一本の溝を利用して、一直線上に引いた例であり、図２６は、錠剤投入口カバーの三本の溝を利用して、赤線、黄線、青線を一包ずつオフセットして線を引いた例である。
【００８６】
ここまで、包装装置上部と錠剤投入口カバーのカバーを使用して、分包シートに線を引くことを説明した。この機構を応用し、錠剤投入口カバーの上で、線を引くことも可能である。
【００８７】
図２７は線引きガイドを備える錠剤投入口カバーの外観図である。この錠剤投入口カバーのカバーは、図１８の説明にて記載したものと同様の役割を果たす、分包シートをセットする為の窪み１６０２と、分包シート内部の薬を収容する分包シート膨らみ逃げ部１８０１を備えている。
【００８８】
２７０１は線引きガイドである。定規の役割を果たすものである。  この錠剤投入口カバー４と線引きガイド２７０１は蝶着されおり、必要により開閉できる。なお、この線引きガイドは手書きシートの上に重ねて用いるもので、薬剤分包装置に係合するものであれば良い。したがって、例えばドラフターのような形状のものも含まれる。
【００８９】
また、このガイドは、不使用時には薬剤分包装置に係留できる手段を有していることが望ましい。なぜならば、錠剤投入口カバーの開閉する際に係留されていないと、開閉作業の邪魔になるからである。係留の状態については、カバー開閉時に線引きガイドが動かず、線引き作業時に人の力で容易に動かせる程度の強さで係留されることが望ましい。具体的な係留手段としては、ガイドと薬剤分包装置との接点に磁石と金属を用いる、面ファスナーを用いる、フックを取り付ける、ロック機構を取り付ける等が考えられる。あるいは、線引きガイドとシート置台とが、クリップとなるような構造（用箋バサミや洗濯バサミのように、間にものを挟み込める構造）にする方法も考えられる。線引きガイドとシート置台との間にばねを設け、線引きガイドとシート置台とが互いに対接面の方向にばねの力がかかるようにして係留するわけである。このように設ければ、係留できるだけでなく、線引きガイドとシート置台との間に分包シートを挟み込む際に、分包シートをしっかりと固定できる効果を得ることも可能である。（不図示）
図２８は線引きガイド２７０１の外観図である。
２８０１は前側の縁である。この縁は、図２０の縁の説明と同様、線を引くべく、直線若しくは規則的なパターンで構成している。
【００９０】
次に、本実施例の線引きガイドの溝部２００１は、線引き用の溝を３本としているが、縁が線引きガイドになるのであれば、無くとも良い。なお、溝の形状、パターンについては、図２０と同様、作業者が引きたい線のパターンであればよい。
また、線引きガイドの素材も図２０と同様、透明又は半透明の材料で製作するのが望ましい。
【００９１】
以上、図２７、図２８に示したような、錠剤投入口カバーと線引きガイドの構成で、分包シートへの線引きを可能とさせる実施形態と、図１８、図１９、図２１に示したような実施形態は、いずれか一方を選択すればよい。
【００９２】
なお、前者のメリットは、後者よりも安価に実施できることである。これは、包装機（分包機）の部品配置を大きく変える必要が無いためである。後者のメリットは、前者より薬剤投入部の視認性が高いことである。
図２９は、錠剤投入口カバーの上面図であり、先の図２０に挙げた「１以上の区分する部材を設けた形状の溝」の一例である。
【００９３】
この図の溝は、分包シートの横方向のピッチ長に対応した構成になっており、図２３や図２４のようなパターンの線を、容易に引くことができる。また、この溝のピッチを個装ごとの長さに対応させれば、図２５や２６に示したような線を容易に引くことができる。また、更に細かいピッチにすれば破線や一点鎖線などを引く溝とすることもできる。なお、複数の溝がある場合は、異なる区分数の溝を組み合わせても良い。
【００９４】
ここでさらに、線引きを行うためのガイド部（溝部２００１や線引きガイド２７０１など）を備えていない錠剤投入口カバー４と、ガイド部を備えている錠剤投入口カバー４（図２０や図２７の錠剤投入口カバー４）とは取り外して交換出来ることを説明しておく。
図３０は図２７で示す線引きガイド２７０１を備えた錠剤投入口カバーが、上部カバー１６０１に取付けられている斜視図である。
図３１は図２７で示す錠剤投入口カバーと線引きガイド２７０１と、上部カバー１６０１、ブラケット３１０１の分解斜視図である。
【００９５】
ブラケット３１０１は、穴が備えられており、錠剤投入口カバーに備えられたピンが差し込まれるようになっている。そしてブラケット３１０１は、上部カバー１６０１に固定ネジにて固定されるようになっている。そして、線引きガイド２７０１を備えた錠剤投入口カバー４は、錠剤投入口カバーに備えられたピンをブラケットの穴に差し込み、このブラケット３１０１を上部カバーに取付けることにより、上部カバーに蝶着される。よって、この錠剤投入口カバー４と線引き補助具のセットは前述の逆の手順で、取り外すことが出来るようになっている。
【００９６】
なお、これは取り付けの一例であり、上部カバー１６０１と錠剤投入口カバー４とは、交換可能に取り付けられていればよい。例えば、蝶番によって線引きガイド２７０１を備えた錠剤投入口カバー４と、上部カバー１６０１とをねじ止めする、といった方法も考えられる。また、面ファスナーや磁石を対接面に備えることで、錠剤投入口カバー４交換が可能に取り付けるなど、様々な方法が考えられる。
図３２は図２７で示す錠剤投入口カバーと線引き補助具の側面図である。
【００９７】
錠剤投入口カバーの窪み３２０１は、錠剤投入口カバー４の上面（線引きガイド２７０１と対接する面）に備えられた窪みであり、図１８の上部カバーの窪み１６０２と同じように、分包シートをずれにくくするための窪み３２０１である。そして、錠剤投入口カバーの窪み３２０１には、図１８と同じように、分包シート膨らみ逃げ部１８０１が備わっている。
【００９８】
錠剤投入口カバー４の下面（上部カバー１６０１と対接する面）は、ほぼ平面となっている。したがって、錠剤投入口カバーと線引き補助具のセットを上部カバーから取り外して机上に置いて線引き作業に用いることも可能である。つまり、線引きの作業を分包機の上で行わなわなくともよい。薬局内で線引きを行う為の机を置くスペースがある場合は、このような使い方も可能になる。ブラケットを固定している固定ネジをつまみネジに変えて簡易に付け替えが可能となるようにすれば、薬局内での業務の状況に応じて、机上や分包機上に錠剤投入口カバーと線引き補助具のセットを移動させて使用することも可能となる。
【００９９】
以上説明したように、本発明は、省スペースで容易かつ安価に分包シートへの薬剤の服用に関する情報を描き入れることができる薬剤分包装置の提供が可能となった。
そして、本発明の薬剤分包装置は、次のことを特徴とするものである。
【０１００】
１．薬剤を分包シートに分包するための薬剤分包装置（包装装置５）であって、前記分包シート（分包シート１４１１）を置くためのシート置台（錠剤投入口カバー４、上部カバー１６０１、窪み１６０２、錠剤投入口カバーの窪み３２０１）と、前記シート置台に置かれた前記分包シートの上に重ねて、前記分包シートに分包された前記薬剤の服用時または服用者を特定する情報（線１５０１）を、前記分包シートに描き入れるための手描き作業を行うために用いるガイド部（錠剤投入口カバー４、溝部２００１、線引きガイド２７０１）と、前記シート置台または前記ガイド部を、当該薬剤分包装置に係合する係合部（錠剤投入口カバー４が「蝶着されている」との記載、ブラケット３１０１）とを有することを特徴とする薬剤分包装置。
【０１０１】
２．前記シート置台は、前記服用時または服用者を特定する情報を前記分包シートに描き入れる際、前記分包シートの設置位置をずれにくくするための、前記分包シートに適合する窪み（窪み１６０２、錠剤投入口カバーの窪み３２０１）を有することを特徴とする薬剤分包装置。
【０１０２】
３．前記シート置台は、前記分包シートに分包された前記薬剤を前記分包シートの一端に集めやすくするために、水平面に対して傾斜した面（分包シート膨らみ逃げ部１８０１）を有することを特徴とする薬剤分包装置。
【０１０３】
４．前記ガイド部は、当該ガイド部によって描き入れられる前記分包シートに分包された前記薬剤の服用時を特定するため情報が、手書き線（線１５０１）であることを特徴とする薬剤分包装置。
【０１０４】
５．前記ガイド部は、前記分包シートに分包された前記薬剤の服用時または服用者を特定する情報を描き入れるための当該ガイド部を貫通した溝部（溝部２００１、線引きガイド２７０１）を有することを特徴とする薬剤分包装置。
【０１０５】
６．前記ガイド部の有する前記溝部は、平行な手描き線を書き込み可能な溝部（溝部２００１、線引きガイド２７０１）であることを特徴とする薬剤分包装置。
【０１０６】
７．前記ガイド部の有する前記溝部は、仕切り部材により区分された複数の溝から構成されており、前記分包シートに互い違いの平行線を描くことができる（図２９の錠剤投入口カバー４）ことを特徴とする薬剤分包装置。
【０１０７】
８．前記ガイド部の有する前記溝部は、前記分包シートに２以上のパターンの手描き線を描き加えるためのパターン（図２０の説明にあるような様々なガイドのパターン、図２２の説明にある２以上の線引き部の記載）を有することを特徴とする薬剤分包装置。
【０１０８】
９．前記ガイド部は、前記分包シートの設置位置を前記ガイド部の上から透かして確認できるよう透明または半透明である（図２０の錠剤投入口カバー４や図２８の線引きガイド２７０１の記載）ことを特徴とする薬剤分包装置。
【０１０９】
１０．前記ガイド部は、当該ガイド部を使用しない際に、当該ガイド部が動かないように前記シート置台に係留するための、係留手段（図２７、図３２の線引きガイドの係留に関する記載）を備えることを特徴とする薬剤分包装置。
【０１１０】
１１．前記分包シートに分包するための薬剤を投入する投入口（錠剤投入口１６０３）をさらに備え、前記ガイド部は、前記投入口の蓋（錠剤投入口カバー４）であって、前記係合部によって前記薬剤分包装置に係合される蓋（錠剤投入口カバー４が「蝶着されている」との記載）であることを特徴とする薬剤分包装置。
【０１１１】
１２．前記分包シートに分包するための薬剤を投入する投入口をさらに備え、前記シート置台は、前記投入口の蓋（図２７の錠剤投入口カバー４）であって、前記係合部によって前記薬剤分包装置に係合される蓋（図２７、図３２の説明における、錠剤投入口カバー４がブラケット３１０１で「蝶着されている」との記載）であって、前記ガイド部は、前記シート置台に係合されている（図２７の説明における、線引きガイド２７０１と錠剤投入口カバー４とが「蝶着されている）との記載）ことを特徴とする薬剤分包装置。
【０１１２】
１３．前記蓋は着脱可能に前記薬剤分包装置に係合されている（図３１の説明における、錠剤投入口カバー４がブラケット３１０１で着脱可能に留められている、との記載）ことを特徴とする薬剤分包装置。
【０１１３】
１４．前記前記シート置台と前記ガイド部とは、前記前記シート置台と前記ガイド部との間に前記分包シートを挟み込んだ際に、前記分包シートを固定できるよう、前記シート置台と前記ガイド部とが互いに対接面の方向に力が加わるように係合されている（磁石による係留方法や、図２７の説明における錠剤投入口カバー４と線引きガイド２７０１とがクリップの役割を果たす旨の記載）ことを特徴とする薬剤分包装置。
【符号の説明】
【０１１４】
１  錠剤取出ユニット
３  排出ポケット
４  線引きガイドを備える錠剤投入口カバー（手撒き用錠剤マスカバー）
５  包装装置
１０  錠剤供給装置  
１７  検出機構
１８  錠剤シートが載置される載置台  
２４  導入シュート  
３９  下部ローラ  
５０  錠剤
５１  錠剤シート（ＰＴＰシート）  
５２  錠剤収容部  
８３  内部押圧体
８４  外部押圧体
９３  第１昇降体  
９４  カム
９８  第２昇降体
９９  カム
１０３  散薬投入部  
２０３  錠剤シートを錠剤取出ユニット１に投入する投入口
２０４  光学センサ
４００  錠剤供給ユニット  
４０１  錠剤導入路
４０２  第１集積ホッパー
５０１  第２集積ホッパー
５０２  第１の送り出し機構
５０３  第３集積ホッパー
５０４  第２の送り出し機構  
５０５  メインホッパー  
７０１  包装装置内の包装ユニット
７０２  ロール紙送出機構
７０３  包装機構
７０４  包装機構
７０５  分断機構
７０６  プリンタ
８０１  分断用のミシン目
８０２  １つの包み
８０３  １つの包みに分包された錠剤（薬剤）
９０１  カバー
１２０１  錠剤の移動経路
１４０１  第１の傾斜部
１４１１  分包シート
１５０１  色分けの為に引かれた線
１５０２  分包シートの縁
１６０１  上部カバー
１６０２  窪み（シート置台）
１６０３  錠剤投入口（手撒き用錠剤マス）
１８０１  分包シート膨らみ逃げ部
２００１  溝
２７０１  線引きガイド
２８０１  線引きガイドの前側の縁
３１０１  ブラケット
３２０１  錠剤投入口カバーの窪み
【図１】
2014230744.tif 000003
【図２】
2014230744.tif 000004
【図３】
2014230744.tif 000005
【図４】
2014230744.tif 000006
【図５】
2014230744.tif 000007
【図６】
2014230744.tif 000008
【図７】
2014230744.tif 000009
【図８】
2014230744.tif 000010
【図９】
2014230744.tif 000011
【図１０】
2014230744.tif 000012
【図１１】
2014230744.tif 000013
【図１２】
2014230744.tif 000014
【図１３】
2014230744.tif 000015
【図１４】
2014230744.tif 000016
【図１５】
2014230744.tif 000017
【図１６】
2014230744.tif 000018
【図１７】
2014230744.tif 000019
【図１８】
2014230744.tif 000020
【図１９】
2014230744.tif 000021
【図２０】
2014230744.tif 000022
【図２１】
2014230744.tif 000023
【図２２】
2014230744.tif 000024
【図２３】
2014230744.tif 000025
【図２４】
2014230744.tif 000026
【図２５】
2014230744.tif 000027
【図２６】
2014230744.tif 000028
【図２７】
2014230744.tif 000029
【図２８】
2014230744.tif 000030
【図２９】
2014230744.tif 000031
【図３０】
2014230744.tif 000032
【図３１】
2014230744.tif 000033
【図３２】
2014230744.tif 000034
【手続補正書】
【提出日】平成26年4月18日(2014.4.18)
【手続補正１】
【補正対象書類名】図面
【補正対象項目名】図１６
【補正方法】変更
【補正の内容】
【図１６】
2014230744.tif 000035
【手続補正２】
【補正対象書類名】図面
【補正対象項目名】図１９
【補正方法】変更
【補正の内容】
【図１９】
2014230744.tif 000036
【手続補正３】
【補正対象書類名】図面
【補正対象項目名】図２１
【補正方法】変更
【補正の内容】
【図２１】
2014230744.tif 000037